(57)【要約】【課題】伝熱性能、量産性等を確保することができる熱交換器を提供する。【解決手段】所定の間隔で配設され、その間を流体が流れるアルミニウムを含む金属製の複数の板状フィン１と、板状フィン１の配設方向に沿って冷媒が管内を流れるように板状フィン１に挿入されるアルミニウムを含む金属製の複数の扁平伝熱管２とを備え、板状フィン１の扁平伝熱管と接合する側の面にロウ材９が被覆されているものである。【選択図】図１
2014001869.tif 000002
【特許請求の範囲】
【請求項１】
所定の間隔で配設され、その間を流体が流れるアルミニウムを含む金属製の複数の板状フィンと、
該フィンの配設方向に沿って冷媒が管内を流れるように前記板状フィンに挿入されるアルミニウムを含む金属製の複数の扁平伝熱管とを備え、
前記板状フィンの前記扁平伝熱管と接合する側の面にロウ材が被覆されていることを特徴とする熱交換器。
【請求項２】
前記ロウ材の厚さを、前記板状フィン全体の板厚に対して５〜１５％の厚さとすることを特徴とする請求項１記載の熱交換器。
【請求項３】
前記板状フィンは、０．８〜２．０ｍａｓｓ％のＭｎ、０．０１〜１．０ｍａｓｓ％のＳｉ及び０．５〜４．０ｍａｓｓ％のＺｎを芯材に含み、かつ、６〜１３ｍａｓｓ％のＳｉを前記ロウ材に含むことを特徴とする請求項１又は２記載の熱交換器。
【請求項４】
前記板状フィンは、前記流体の流れにおいて下流側となる長辺部分を前記扁平伝熱管の長尺側の長さに対応して切り欠いた複数の切り欠き部を有し、
前記複数の切り欠き部の間の領域には切り起こし部を設け、前記複数の切り欠き部と前記流体の流れにおいて上流側となる長辺との間の領域には切り起こし部を設けないようにしたことを特徴とする請求項１〜３のいずれか一項に記載の熱交換器。
【請求項５】
前記扁平伝熱管の短尺側の形状に合わせて前記切り欠き部に形成された半円形の中心点と前記流体の流れにおいて上流側となる長辺との距離をｈ、前記扁平伝熱管の短尺側の長さを２Ｒ及び前記扁平伝熱管の挿入間隔をＤｐとすると、
２Ｒ≦ｈ≦Ｄｐ／２
を満たす関係にあることを特徴とする請求項４記載の熱交換器。
【請求項６】
前記複数の切り欠き部と前記流体の流れにおいて上流側となる長辺との間の領域を平坦にすることを特徴とする請求項４又は５記載の熱交換器。
【請求項７】
前記複数の切り欠き部と前記流体の流れにおいて上流側となる長辺との間の領域に凹凸状のリブを有することを特徴とする請求項４又は５記載の熱交換器。
【請求項８】
前記リブは、前記扁平伝熱管の短尺側の形状に合わせて前記切り欠き部に形成された半円形の中心点を中心とする円弧状に形成されていることを特徴とする請求項７記載の熱交換器。
【請求項９】
前記リブは、前記流体の流れる方向に対して所定角度傾斜させた直線形状に形成されていることを特徴とする請求項７記載の熱交換器。
【請求項１０】
冷媒を圧縮して吐出する圧縮機と、熱交換により前記冷媒を凝縮させる凝縮器と、凝縮に係る冷媒を減圧させるための絞り装置と、減圧に係る冷媒と空気とを熱交換して前記冷媒を蒸発させる蒸発器とを配管接続して冷媒回路を構成し、
前記蒸発器、前記凝縮器の少なくとも一方を請求項１〜９のいずれか一項に記載の熱交換器とすることを特徴とする冷凍サイクル装置。
【発明の詳細な説明】
【技術分野】
【０００１】
この発明は熱交換器及び冷凍サイクル装置に関するものである。特にフィンと伝熱管とを組み合わせて構成するフィンチューブ型の熱交換器等に関するものである。
【背景技術】
【０００２】
例えば、扁平管の平面部を水平に配置し、平面部と平面部との間にフィンを配置したコルゲートフィンチューブ型熱交換器が広く普及している（例えば特許文献１参照）。ここで、例えば特許文献１に開示されている熱交換器では、フィンから空気流の下流側へ突出する突出部を有しており、その突出部には切り欠きが設けられている。熱交換器で発生した凝縮水は、空気流の下流側に集まり、切り欠きから下方へ落下する。しかし、凝縮水が切り欠きから落下するのは、凝縮水が自重で落下できる程度の大きさまで成長したときである。このため、しばらく凝縮水が熱交換器に滞留することがあり、その結露水が通風抵抗となって熱交換性能を低下させている。
【０００３】
そこで、排水性を向上させるために、フィンを平面部と平面部との間からはみ出させ、そのはみ出し部分を介して結露水が下方へ流れるようにし、凝縮水に対する熱交換器の排水性を向上させた熱交換器がある（例えば特許文献２参照）。
【先行技術文献】
【特許文献】
【０００４】
【特許文献１】特開２０１０−２１４３７９号公報（図１）
【特許文献２】特許第０４１６６１３号公報（図１）
【発明の概要】
【発明が解決しようとする課題】
【０００５】
しかしながら、例えば、熱交換器の小型化がさらに進む状況下において、小型化により、凝縮水に対する熱交換器の排水性はさらに低下する可能性が高くなる。このため、さらなる排水性の向上が求められている。また、例えば熱交換に係る空気の温度が約２度以下、冷媒の蒸発温度が０度以下となる熱交換器に着霜が生じる環境下において、コルゲートフィンチューブ型熱交換器を使用すると、空気中の絶対湿度量が多い風上側のフィン、扁平管等に着霜が生じ易くなる。このため、通風抵抗が増大し風量が低下して熱交換性能が低下してしまう。また、霜を溶かす除霜運転においても、フィン上に凝縮水が滞留して、滞留した凝縮水が基点となり霜が生じ易くなってしまう。
【０００６】
例えば、コルゲートフィンチューブ型熱交換器は、例えばアルミニウム製のコルゲートフィンとアルミニウム製の扁平管とをロウ付け接合して製造する。アルミニウム製のコルゲートフィンをロウ付けすると、焼きなまされることにより、フィンの耐力が大幅に低下して、フィン座屈強度が低下し、フィンが倒れ易くなる。フィン倒れが生じると、空気の通風抵抗が増大して風量が低下して熱交換性能が低下してしまう。
【０００７】
また、例えば、オールアルミニウム製の熱交換器は、素材のアルミニウム合金に加え、ろう材が予めクラッドされたアルミニウムブレージングシートを用いた炉内ろう付けによる接合が量産に適する。そして、アルミ二ウムフィンに切り欠きを備え、鉛直に切り起こしたフィンカラーを有し、その切り欠き部に扁平管を挿入する方式のフィンチューブ熱交換器の検討も進められている。しかしながら、フィンチューブ熱交換器の炉中ロウ付けの方式については詳しく言及されていなかった。
【０００８】
そこで、本発明は、伝熱性能、量産性等を確保した熱交換器を提供することを目的とするものである。
【課題を解決するための手段】
【０００９】
本発明に係る熱交換器は、所定の間隔で配設され、その間を流体が流れるアルミニウムを含む金属製の複数の板状フィンと、フィンの配設方向に沿って冷媒が管内を流れるように板状フィンに挿入されるアルミニウムを含む金属製の複数の扁平伝熱管とを備え、板状フィンの扁平伝熱管と接合する側の面にロウ材が被覆されているものである。
【発明の効果】
【００１０】
本発明によれば、板状フィンの扁平伝熱管と接合する側の面にロウ材を被覆することで、板状フィンの扁平伝熱管との接合部分に形成するフィンカラーにおいて、扁平伝熱管とフィンカラーとの接触点を基点に長いフィレットを形成することができる。このため、扁平伝熱管内を流れる冷媒の熱を効率よく板状フィンに伝えることができる。
【図面の簡単な説明】
【００１１】
【図１】本発明の実施の形態１における熱交換器の構成を示す図である。
【図２】本発明の実施の形態１に係る板状フィン１の材料構成を説明するための図である。
【図３】本発明の実施の形態１に係る熱交換器の製造方法を説明するための図である。
【図４】本発明の実施の形態１に係る扁平伝熱管２と板状フィン１との接合部分を示す図である。
【図５】本発明の実施の形態１に係るフィレット長さと熱伝達率との関係を示す図である。
【図６】本発明の実施の形態１に係るフィンの座屈強度を解析した結果を示す図である。
【図７】本発明の実施の形態１に係る熱交換器を凝縮器として使用した場合の扁平伝熱管２から板状フィン１への熱伝導される熱流ベクトルを示す図である。
【図８】本発明の実施の形態１に係る切り欠き部の中心点からフィン端部までの距離ｈとフィン効率との関係を示す図である。
【図９】本発明の実施の形態１に係る同一ファン入力当たりの熱交換量と切り欠き部の中心点からフィン端部までの距離ｈとの関係を表す図である。
【図１０】本発明の実施の形態２における板状フィン１の平面図である。
【図１１】本発明の実施の形態３における冷凍サイクル装置の構成を示す図である。
【発明を実施するための形態】
【００１２】
実施の形態１．
図１は本発明の実施の形態１における熱交換器の構成を示す図である。図１は本実施の形態の熱交換器の一部を拡大して示している。本実施の形態の熱交換器は、アルミニウム（アルミニウム合金を含む）製の板状フィン１と扁平伝熱管２とを組み合わせて構成するフィンチューブ型の熱交換器である。複数の扁平伝熱管２は、管内に流す冷媒の流路方向とは直交する方向（図１における段方向）に、一定間隔をおいて平行に配列している。また、複数の板状フィン１は冷媒の流路方向（扁平伝熱管２の並び方向と直交する方向）で一定間隔に平行に配列（積層）している。
【００１３】
扁平伝熱管２は、断面形状の一部が曲線となっている扁平状の伝熱管である。扁平伝熱管２は、図１に示す列方向に並んだ複数の冷媒流路４を有しており、例えば熱交換器を通過する空気と熱交換をさせるための冷媒が流れる。
【００１４】
また、板状フィン１は、扁平伝熱管２を流れる冷媒の熱を効率よく空気等に伝えるための平板状（矩形状）のフィンである。ここで、本実施の形態においては、アルミニウム製の板状フィン１の積層方向のピッチＦｐはＦｐ＝０．００１６ｍ（１．６ｍｍ）である。また、フィン厚みＦｔはＦｔ＝０．０００１ｍ（０．１ｍｍ）である。空気の流れ通過方向のフィン幅ＷはＷ＝０．０１８ｍ（１８ｍｍ）、熱交換器の段方向に隣接する伝熱管の中心の距離ＤｐはＤｐ＝０．０１５ｍである。これらの具体的な値は一例であって、異なった値であってもよい。
【００１５】
板状フィン１は段方向に延びる２つの辺のうちの一辺側を切り欠いて形成した切り欠き部（扁平伝熱管２の挿入孔）を有している。その切り欠き部の縁を板面に対して鉛直に切り起こすことによりフィンカラー１０を形成している。そして、後述するように、切り欠き部に挿入された扁平伝熱管２とフィンカラー１０とをロウ付け接合して、板状フィン１と扁平伝熱管２とを固定している。また、板状フィン１において、段方向に延びる２つの辺の切り欠きを有する側には、図１（ｂ）に示すように、スリット３などを切り起こし等により形成している。切り欠きを有していない側はスリット３などを形成せずフラット部とする。ここで、本実施の形態では切り欠きを有していない側にスリット３を形成しているが、例えばルーバーなどを切り起こしで形成するようにしてもよい。
【００１６】
図２は本発明の実施の形態１に係る板状フィン１の材料構成を説明するための図である。図２に示すように、アルミニウム製の板状フィン１は、例えば素材（芯材）のアルミニウム合金（Ａ３０００系）の片面に、ロウ材（Ａ４０００系）９をクラッドしたクラッドフィンを用いる。そして、ロウ材９側が扁平伝熱管２と接するように切り起こしにより後述するフィンカラー１０を形成する。板状フィン１にクラッド（被覆）されたロウ材９は、圧延加工により強固に芯材に接合されており、剥がれ落ちることはない。例えば、扁平伝熱管２側にロウ材を塗布、または、コーティングしたものを挿入する場合、板状フィンのフィンカラーと扁平伝熱管が擦れ合うので、塗布、またはコーティングしたロウ材の場合は剥がれ落ちる場合がある。また、扁平伝熱管は押し出し成型するのでロウ材をクラッドするのは困難である。例えば、扁平伝熱管にクラッドができた場合でも、側面部にはクラッドできたとしても、頂部にはクラッドできない。
【００１７】
図３は本発明の実施の形態１に係る熱交換器の製造方法を説明するための図である。図３（ａ）に示すように、板状フィン１を成形するフィン打ち工程を実施してスリット３、フィンカラー１０等を形成する。その後、図３（ｂ）に示すように、扁平伝熱管２を板状フィン１の切り欠き部に挿入する。ここで、扁平伝熱管２の断面形状は扁平又は楔型形状としているので、扁平伝熱管２を板状フィン１の切り欠き部に隙間なく挿入することができる。
【００１８】
次に、熱交換器の板状フィン１と扁平伝熱管２とをロウ付け接合する。不活性雰囲気（Ｎ２  ）中で、非腐食性フラックスを用いてトンネル炉で連続的にロウ付け接合する。炉内で約６００度に到達すると、扁平伝熱管２と接合する面にクラッドしたロウ材９が溶け、扁平伝熱管２とフィンカラー１０との間に後述するフィレット１１が形成される。例えば、棒ロウ材を扁平伝熱管２と板状フィン１との間に置いてロウ付けする場合（置きロウ方式）もあるが、棒ロウ材を置くという工程が増えるため、量産性には不向きである。
【００１９】
図４は本発明の実施の形態１に係る扁平伝熱管２と板状フィン１との接合部分を示す図である。図４に示すように、フィレット１１は扁平伝熱管２とフィンカラー１０との接触点を基点に形成される。各断面の板状フィン１（フィンカラー１０）と扁平伝熱管２との間には、フィレット長さが１．５ｍｍ以上形成される。１．５ｍｍ以上のフィレット長さが形成されることで、扁平伝熱管２内を流れる冷媒の熱が効率よく板状フィン１に伝わる。
【００２０】
図５は本発明の実施の形態１に係るフィレット長さと熱伝達率との関係を示す図である。扁平伝熱管２と板状フィン１のフィンカラー１０のフィレット長さが周方向に変化したときの熱伝達率のグラフである。本実施の形態の熱交換器では、クラッドフィンであることから、ほぼ全周にロウ付け接合がなされる。
【００２１】
ここで、板状フィン１のロウ材９のクラッド率について説明する。クラッド率とは、ここでは、板状フィン１の板厚全体に対するロウクラッド部分の厚さの割合であるものとする。本実施の形態では、クラッド率を５〜１５％としている。クラッド率を５〜１５％とすることで、ロウ材９はフィンカラー１０と扁平伝熱管２間のクリアランスを埋める最適な量となり、周方向へのロウ付け性が良好となる。周方向のロウ付け率を８０％以上確保することができれば、管外熱伝達率に及ぼす影響は小さい。クラッド率を５％より小さくするとロウ材９の量が不足する。このため、周方向へのロウ付け率が８０％より小さくなり、管外熱伝達率が小さくなり、伝熱性能が低下してしまう。一方、クラッド率を１５％より大きくすると、ロウ材９の量が多すぎて芯材へのエロージョン（侵食）が発生してしまう可能性がある。よって、クラッド率が５〜１５％のフィンとすることで、ロウ付けによる熱交換性能が最適となる。
【００２２】
ここで、板状フィン１の組成について説明する。芯材においてＭｎ（マンガン）を０．８〜２．０ｍａｓｓ％（質量パーセント）、Ｓｉ（シリコン）を０．０１〜１．０ｍａｓｓ％、Ｚｎ（亜鉛）を０．５〜４．０ｍａｓｓ％含有する。また、ロウ材９においてＳｉを６〜１３ｍａｓｓ％を含有する。芯材中のＭｎは、芯材の強度を向上させることができるが、伝熱性能を悪化させる可能性がある。そこで、Ｍｎの含有範囲を０．８〜２．０ｍａｓｓ％とすることが好ましく、強度と伝熱性能を両立させることができる。Ｍｎの含有率が０．８ｍａｓｓ％未満では、強度を向上させる効果が小さく、ロウ付け後に熱交換器の曲げ工程、輸送中等でのフィン座屈が発生してしまう。また、Ｍｎの熱伝導率λは０．７Ｗ／ｍＫであり、Ａｌは２３７Ｗ／ｍＫである。このため、Ｍｎの含有率が２．０ｍａｓｓ％を超えると、フィンの熱伝導率が１７５Ｗ／ｍＫ以下になり、伝熱性能が大きく悪化しまう。よって、Ｍｎの含有範囲は０．８〜２．０ｍａｓｓ％が最適となる。また、芯材中のＺｎは、芯材の電位を卑にして犠牲陽極効果を高める。Ｚｎの含有範囲を０．５〜４．０ｍａｓｓ％とすることが好ましい。Ｚｎの含有率が０．５ｍａｓｓ％未満ではその効果が小さく、４．０ｍａｓｓ％を超えると、芯材自体の自己耐食性が悪化し、粒界腐食感受性も増加する。よって、Ｚｎの含有範囲は０．５〜４．０ｍａｓｓ％が最適となる。一方、ロウ材９中のＳｉは、ロウ材９の融点を下げ、溶融ロウの流動性を高める。Ｓｉの含有範囲を６〜１３ｍａｓｓ％とすることが好ましい。Ｓｉの含有率が６ｍａｓｓ％未満ではその効果が小さく、１３ｍａｓｓ％を超えると、融点が急激に高くなり、製造時の加工性も低下する。よって、Ｓｉの含有範囲は６〜１３ｍａｓｓ％が最適となる。
【００２３】
次に本発明の実施の形態１における板状フィン１の座屈強度について説明する。熱交換器を製造するときにロボットアームで挟んだり、作業者が手で掴む作業がある。また、配置効率を向上させるために、Ｌ字曲げ、コの字曲げを行い、空調機に搭載される。これらのハンドリング、曲げ作業時では板状フィン１の列方向に荷重が加わる。ここで、アルミニウム製の板状フィン１、アルミニウム製の扁平伝熱管２をロウ付け接合することで、焼きなまされて板状フィン１の耐力が低下し、フィンの座屈強度が低下してしまう。フィンの座屈強度が低下すると、フィン倒れが生じてしまい、通風抵抗が増大し、風量が低下して熱交換性能が低下する。
【００２４】
図６は本発明の実施の形態１に係るフィンの座屈強度を解析した結果を示す図である。図６では板状フィン１の列方向に荷重を加えたときの結果を示している。そして、図６（ａ）は本実施の形態のように、切り欠き部を有していない側にスリット３などを形成しなかった場合の結果である。比較例として、図６（ｂ）には、従来のように、切り欠き部を有していない側にスリット３などを形成した場合の結果を示している。
【００２５】
例えば、図６（ｂ）のフィンの座屈強度解析結果では、切り欠き部を有していない側に位置するスリット３を基点５にフィン倒れが生じている。一方、図６（ａ）では、切り欠き部を有していない側にスリット３などによる切り起こしがないので、応力が集中する箇所がなく、フィン倒れが生じておらず、フィン座屈強度が高い。
【００２６】
さらに伝熱性能について説明する。切り欠き部を有している側にはスリット３などの切り起こしがあるので、温度境界層が分断、更新されて伝熱性能が更新される。スリット３などを設けていない場合に比べて、はるかに伝熱性能を向上させることができる。
【００２７】
そして、本実施の形態の熱交換器では、切り欠き部を有していない側をスリット３等の切り起こしを設けずに平坦なフラット部とすることで、板状フィン１の座屈強度を向上させ、フィン倒れが生じ難くさせる。一方、切り欠き部を有している側はスリット３などの切り起こしを設けて伝熱を促進させるようにすることで、板状フィン１の座屈強度と伝熱性能との両立を確保することができる。
【００２８】
また、熱交換器の排水性について説明する。本実施の形態の熱交換器を蒸発器として使用する際、空気中の水分の凝縮水が板状フィン１上に発生する。凝縮水は空気の流速による押す力が多い場合は、風下側のフィン端部を沿って、重力により重力下方向に下降して排水される。空気の流速が低く、凝縮水が風下側に押されない場合でも、切り欠きが無い部分が排水路となる。空気中の水分の発生量は、風上側ほど空気中水分の絶対湿度量が多く、凝縮水が多く発生するので、より効率良く排水される。
【００２９】
例えば、熱交換器を蒸発器として使用する際、外気温が低く、着霜が生じるような環境下で、風上側（流体の上流側）で着霜が生じやすくなる。本実施の形態の熱交換器では、風上側はフラット部になっており、スリット３などの切り起こしを設けていないので、切り起こしによって霜が閉塞してしまうことがない。このため、風量低下を抑制でき、着霜時の熱交換器性能を確保することができる。
【００３０】
以上の説明のように、切り欠き部を有していない側をフラット部とし、切り欠き部を有している側にスリット３などを設けることで、板状フィン１の座屈強度が向上してフィン倒れを生じ難くすることができる。また、切り欠き部を有している側にはスリット３などの切り起こしを設けて伝熱促進させるようにすることができる。そして、切り欠き部を有していない側をフラット部とすることで、蒸発器として使用する際の凝縮水の排水性、着霜耐力を確保することができる。
【００３１】
図７は本発明の実施の形態１に係る熱交換器を凝縮器として使用した場合の扁平伝熱管２から板状フィン１への熱伝導される熱流ベクトルを示す図である。また、図８は本発明の実施の形態１に係る切り欠き部の中心点からフィン端部までの距離ｈとフィン効率との関係を示す図である。さらに、図９は、本発明の実施の形態１に係る同一ファン入力当たりの熱交換量と切り欠き部の中心点からフィン端部までの距離ｈとの関係を表す図である。次に本発明の実施の形態１の熱交換器において、特に有効な形状のパラメータについて説明する。切り欠き部の中心点からフィン端部までの距離ｈと伝熱性能の関係について説明する。
【００３２】
切り欠き部の中心点からフィン端部までの距離ｈを大きくするほどフィン効率は低下する。また、段ピッチＤｐを２で割った値Ｄｐ／２を超えると、図７に示すように、隣り合う扁平伝熱管２からの一様な熱流ベクトル６の等温線７を境に温度が低下して、フィン効率が大幅に低下する。また、切り欠き部の中心点（切り欠き部に扁平伝熱管２に合わせて形成された半円形の中心点）からフィン端部（切り欠き部を有していない空気の上流側となる長辺）までの距離ｈを大きくするほど、伝熱面積が増加する。一方、通風抵抗は切り欠き部の中心点からフィン端部までの距離ｈが増加するほど、増大してしまう。このため、図９に示すように、同一ファン入力当たりの熱交換量は段ピッチＤｐを２で割った値Ｄｐ／２を最大値とする特性になる。
【００３３】
また、形状パラメータが座屈強度に及ぼす影響について説明する。切り欠き部の中心点からフィン端部までの距離ｈが大きいほど、曲げモーメントが大きくなるので、座屈強度は低下する。ここで、熱交換器をＬ字、コ字状に曲げるときに、応力によって倒れが生じないように必要な座屈強度は、切り欠き部の中心点からフィン端部までの距離ｈがＤｐ／２以下であれば確保することができる。
【００３４】
そして、形状パラメータが排水性に及ぼす影響について説明する。切り欠き部の中心点からフィン端部までの距離ｈを、２Ｒ（図２に示すＲの２倍。扁平伝熱管２の短尺側の長さ）以上確保することで、凝縮水を滞留させずに排水することができる。同様に２Ｒ以上確保することで、着霜が生じやすい風上側の前縁部の距離が大きくとれ、伝熱管から温度差が大きくなり、着霜量が減少し、着霜耐力を確保することができる。
【００３５】
また、伝熱管とフィンは異なった材料を用いていることが多いが、扁平伝熱管２と板状フィン１に銅、アルミニウム等、同じ材料を用いることで、板状フィン１と扁平伝熱管２のロウ付けが可能となり、板状フィン１と扁平伝熱管２との接触熱伝達率が飛躍的に向上し、熱交換能力が大幅に向上する。また、リサイクル性も向上させることができる。
【００３６】
また、扁平伝熱管２と板状フィン１とを密着させるため、炉中ロウ付けを行う場合、板状フィン１に親水材を塗布するのに後処理で行うことで、前処理の場合のロウ付け中の親水材の焼け落ちを防ぐことができる。
【００３７】
実施の形態２．
図１０は本発明の実施の形態２における板状フィン１の平面図である。実施の形態１では、板状フィン１の切り欠き部を有していない側にはスリット３などの切り起こしを形成せずフラット部とした。実施の形態２では、凹凸状のリブ８を形成するようにしたものである。凹凸状のリブ８を形成することで、列方向の荷重に対してのフィン座屈強度が向上し、実施の形態１の熱交換器（板状フィン１）よりもフィン倒れが生じ難くなる。
【００３８】
図１０（ａ）は気体の流れ方向に一定の角度θを傾斜させるように形成した直線状の凹凸状のリブ８を設けたものである。また、図１０（ｂ）は切り欠き部の中心点を中心とする円弧状のリブ８を設けたものである。さらに、図１０（ｃ）は切り欠き部の中心点を中心とする円弧状のリブ８である。図１０（ｃ）では、フィン先端部付近で分断されている。
【００３９】
実施の形態３．
図１１は本発明の実施の形態３における冷凍サイクル装置の構成を示す図である。図１１の冷凍サイクル装置は、圧縮機１００、凝縮器２００、膨張弁３００及び蒸発器４００を配管接続して冷媒回路（冷媒循環回路）を構成している。ここで、温度の高低、圧力の高低については、特に絶対的な値との関係で高低等が定まっているものではなく、装置内の冷媒等における状態、動作等において相対的に定まるものとする。
【００４０】
圧縮機１００は冷媒を吸入し、圧縮して高温・高圧の状態にして吐出する。ここで、例えばインバータ回路等により回転数を制御し、冷媒の吐出量を調整できるタイプの圧縮機で構成するとよい。熱交換器となる凝縮器２００は、例えば送風機（図示せず）から供給される空気と冷媒との間で熱交換を行い、冷媒を凝縮させて液状の冷媒にする（凝縮液化させる）ものである。
【００４１】
また、膨張弁（減圧弁、絞り装置）３００は、冷媒を減圧して膨張させるものである。例えば電子式膨張弁等の流量制御手段で構成するが、例えば、感温筒を有する膨張弁、毛細管（キャピラリ）等の冷媒流量調節手段等で構成してもよい。蒸発器４００は、空気等との熱交換により冷媒を蒸発させて気体（ガス）状の冷媒にする（蒸発ガス化させる）ものである。
【００４２】
ここで、蒸発器４００、凝縮器２００の少なくとも一方に、実施の形態１、２において説明した、扁平伝熱管２を有する熱交換器を用いることができる。これにより、伝熱性能を向上させることができる。伝熱性能が向上することにより、エネルギー効率がよく、省エネルギーの冷凍サイクル装置を得ることができる。
【００４３】
次に、冷凍サイクル装置の各構成機器における動作等を、冷媒回路を循環する冷媒の流れに基づいて説明する。まず、圧縮機１００は、冷媒を吸入し、圧縮して高温・高圧の状態にして吐出する。吐出した冷媒は凝縮器２００へ流入する。凝縮器２００は、送風機５００から供給される空気と冷媒との間で熱交換を行い、冷媒を凝縮液化させる。凝縮液化した冷媒は膨張弁３００を通過する。膨張弁３００は、通過する凝縮液化した冷媒を減圧する。減圧した冷媒は蒸発器４００に流入する。蒸発器４００は、例えば熱負荷（熱交換対象）との熱交換により冷媒を蒸発ガス化する。蒸発ガス化した冷媒を圧縮機１００が吸入する。ここでは蒸発器４００において熱負荷と熱交換を行っているが、熱負荷を過熱する場合には凝縮器２００で行うようにしてもよい。
【００４４】
実施の形態４．
上述した実施の形態１〜３で述べた熱交換器および冷凍サイクル装置に用いる冷媒については、例えば、ＨＣＦＣ（Ｒ２２）やＨＦＣ（Ｒ１１６、Ｒ１２５、Ｒ１３４ａ、Ｒ１４、Ｒ１４３ａ、Ｒ１５２ａ、Ｒ２２７ｅａ、Ｒ２３、Ｒ２３６ｅａ、Ｒ２３６ｆａ、Ｒ２４５ｃａ、Ｒ２４５ｆａ、Ｒ３２、Ｒ４１，ＲＣ３１８などや、これら冷媒の数種の混合冷媒Ｒ４０７Ａ、Ｒ４０７Ｂ、Ｒ４０７Ｃ、Ｒ４０７Ｄ、Ｒ４０７Ｅ、Ｒ４１０Ａ、Ｒ４１０Ｂ、Ｒ４０４Ａ、Ｒ５０７Ａ、Ｒ５０８Ａ、Ｒ５０８Ｂなど）、ＨＣ（ブタン、イソブタン、エタン、プロパン、プロピレンなどや、これら冷媒の数種混合冷媒）、自然冷媒（空気、炭酸ガス、アンモニアなどや、これら冷媒の数種の混合冷媒）、またこれら冷媒の数種の混合冷媒など、冷媒の種類に関わらず効果を奏することができる。また、冷凍機油に関しても、鉱油系、アルキルベンゼン油系、エステル油系、エーテル油系、フッ素油系など、冷媒と油とが溶ける、溶けない等、冷凍機油の種類に関わらず効果を奏することができる。
【００４５】
また、作動流体として、空気と冷媒との例を示したが、空気以外の他の気体、液体、気液混合流体を用いても、効果を奏することができる。
【産業上の利用可能性】
【００４６】
例えば、上述の実施の形態１等においては、空気調和装置の室内ユニットが有する熱交換器について説明したが、これに限定するものではない。空気調和装置の室外ユニットが有する熱交換器にも適用することができる。また、他の冷凍サイクル装置の蒸発器、凝縮器等に用いる熱交換器にも適用することができる。
【符号の説明】
【００４７】
１  板状フィン、２  扁平伝熱管、３  スリット、４  冷媒流路、５  基点、６  熱流ベクトル、７  等温線、８  リブ、９  ロウ材、１０  フィンカラー、１１  フィレット、１００  圧縮機、２００  凝縮器、３００  膨張弁、４００  蒸発器、５００  送風機。 
【図１】
2014001869.tif 000003
【図２】
2014001869.tif 000004
【図３】
2014001869.tif 000005
【図４】
2014001869.tif 000006
【図５】
2014001869.tif 000007
【図６】
2014001869.tif 000008
【図７】
2014001869.tif 000009
【図８】
2014001869.tif 000010
【図９】
2014001869.tif 000011
【図１０】
2014001869.tif 000012
【図１１】
2014001869.tif 000013